(57)【要約】【課題】電子海図のステータスを取得単位ごとに容易に把握できる電子海図表示装置を提供する。【解決手段】電子海図表示装置は、取得単位ごとに電子海図を取得して表示可能であって、以下のように構成されている。即ち、この電子海図表示装置は、海図情報表示部を備える。海図情報表示部は、電子地図が現在利用可能か否かを取得単位ごとに判断するとともに、電子海図に関する情報を取得単位ごとに表示する。そして、海図情報表示部は、前記電子海図のステータスに応じて、前記電子海図に関する情報の表示態様を異ならせている。【選択図】図３
2013218210.tif 000002
【特許請求の範囲】
【請求項１】
取得単位ごとに電子地図を取得して表示可能な電子地図表示装置であって、
前記電子地図が現在利用可能か否かを前記取得単位ごとに判断するとともに、前記電子地図が現在利用可能か否かに応じて、前記電子地図に関する情報を前記取得単位ごとに表示する地図情報表示部を備えることを特徴とする電子地図表示装置。
【請求項２】
請求項１に記載の電子地図表示装置であって、
前記地図情報表示部は、前記電子地図のデータを取得済みか否かに応じて、前記電子地図に関する情報の表示態様を異ならせることを特徴とする電子地図表示装置。
【請求項３】
請求項１又は２に記載の電子地図表示装置であって、
前記地図情報表示部は、前記電子地図のライセンスの有無に応じて、前記電子地図に関する情報の表示態様を異ならせることを特徴とする電子地図表示装置。
【請求項４】
請求項１から３までの何れか一項に記載の電子地図表示装置であって、
前記地図情報表示部は、前記電子地図のデータが更新済か否かに応じて、前記電子地図に関する情報の表示態様を異ならせることを特徴とする電子地図表示装置。
【請求項５】
請求項１から４までの何れか一項に記載の電子地図表示装置であって、
少なくとも縮尺変更及びスクロール可能な態様で概略地図を表示させる概略地図表示部を備え、
前記地図情報表示部は、前記電子地図に関する情報を、前記概略地図上に重畳させてグラフィカルに表示することを特徴とする電子地図表示装置。
【請求項６】
請求項５に記載の電子地図表示装置であって、
前記地図情報表示部は、前記電子地図に関する情報として、当該電子地図に収録されている領域の範囲を示す範囲表示を、前記概略地図上に重畳させてグラフィカルに表示するとともに、
前記電子地図のステータスに応じて、前記範囲表示の表示態様を異ならせることを特徴とする電子地図表示装置。
【請求項７】
請求項６に記載の電子地図表示装置であって、
前記概略地図表示部は、前記概略地図の縮尺が所定よりも大きい場合はメルカトル図法で当該概略地図を表示し、当該縮尺が所定以下の場合は、地球が球状に見えるように前記概略地図を座標変換して表示するように構成されており、
前記地図情報表示部は、前記概略地図の表示態様に応じて前記範囲表示を座標変換して表示することを特徴とする電子地図表示装置。
【請求項８】
請求項１から７までの何れか一項に記載の電子地図表示装置であって、
前記地図情報表示部は、前記電子地図に関する情報として、各電子地図のステータスをリスト表示することを特徴とする電子地図表示装置。
【請求項９】
請求項１から８までの何れか一項に記載の電子地図表示装置であって、
予定ルートを設定するとともに、前記予定ルートを電子地図上に重畳させて表示するルート設定部と、
前記予定ルートが通る領域の少なくとも一部を収録した電子地図に収録されている領域の範囲を示す範囲表示を、画面に表示されている前記電子地図上に重畳させてグラフィカルに表示する通過予定地図情報表示部と、
を備え、
前記通過予定地図情報表示部は、前記範囲表示に係る電子地図が現在利用可能か否かに応じて、当該範囲表示の表示態様を異ならせることを特徴とする電子地図表示装置。
【請求項１０】
請求項１から８までの何れか一項に記載の電子地図表示装置であって、
予定ルートを設定するルート設定部と、
前記予定ルートが通る領域の少なくとも一部を収録した電子地図のステータスをリスト表示する通過予定地図情報表示部と、
を備えることを特徴とする電子地図表示装置。
【請求項１１】
取得単位ごとに電子地図を取得して表示する電子地図表示装置における、電子地図に関する情報の表示方法であって、
前記電子地図が現在利用可能か否かを前記取得単位ごとに判断する判断工程と、
前記電子地図が現在利用可能か否かに応じて、前記電子地図に関する情報を前記取得単位ごとに表示する地図情報表示工程と、
を含むことを特徴とする表示方法。
【発明の詳細な説明】
【技術分野】
【０００１】
本発明は、主として、電子海図表示装置に関する。
【背景技術】
【０００２】
航海用機器として、ＥＣＤＩＳ（Ｅｌｅｃｔｒｏｎｉｃ  Ｃｈａｒｔ  Ｄｉｓｐｌａｙ  ａｎｄ  Ｉｎｆｏｒｍａｔｉｏｎ  Ｓｙｓｔｅｍ：電子海図表示情報システム）やＥＣＳ（Ｅｌｅｃｔｒｏｎｉｃ  Ｃｈａｒｔ  Ｓｙｓｔｅｍ：電子海図システム）と呼ばれる電子海図表示システムが知られている。これらは、電子海図データに基づいて、コンピュータ画面上に電子海図を表示するものである。
【０００３】
電子海図は、電子海図表示システムそのものとは別に購入するようになっている。この電子海図は、水路当局の測量データや紙海図に図載されている情報を元にデータ化したものである。このため、各電子海図は、元になっている情報の違いにより、収録されている海域の範囲の大きさや、収録されているデータの詳細度などがそれぞれ異なっている。世界中のさまざまな海域について、収録範囲や詳細度が異なるさまざまな電子海図が刊行されている。ユーザは、自身が必要とする電子海図のみを選択して購入・取得して利用できる。ユーザが電子海図を取得できる単位のことを、本明細書では「取得単位」と呼ぶ。
【０００４】
ユーザは、電子海図を購入すると、当該電子海図のデータを取得して電子海図表示システムにインストールする。また、ユーザは、購入した電子海図のライセンスを取得する。電子海図表示システムに電子海図データがインストールされ、かつ当該電子海図のライセンスが有効な場合に限り、当該電子海図を利用することができる。
【０００５】
この点、特許文献１は電子海図に関するものではないが、予め区分された領域の中からユーザが購入するエリアを選択することにより、当該エリアに該当する地図データをユーザが利用可能になるナビゲーション装置を開示している。
【先行技術文献】
【特許文献】
【０００６】
【特許文献１】特開２００３−５６３０号公報
【発明の概要】
【発明が解決しようとする課題】
【０００７】
上記のように、電子海図表示システムのユーザは、取得単位ごとに電子海図を購入・取得可能である。しかし、購入した電子海図が多数に及ぶ場合、各電子海図のデータのインストールの有無や、各電子海図のライセンスの有無をユーザが把握することは困難である。
【０００８】
また、各電子海図は、定期的に更新されて、更新情報が提供される。航行の安全のためには電子海図を最新版に更新することが望ましいが、購入した電子海図が多数に及ぶ場合、各電子海図が更新済か否かをユーザが把握することは困難である。
【０００９】
また、電子海図は収録範囲や詳細度などが異なった様々な種類のものが用意されているので、海域ごとに１種類だけ電子海図を購入すれば良いというものではない。例えば、遠洋航行中に寄港する場合、広域な海図に加えて、港内の詳細な海図も必要になる。しかし、購入した電子海図が多数に及ぶ場合、どの電子海図を購入済みであるかをユーザが把握することは困難である。このため、新しく電子海図を購入する場合、どの電子海図を購入すれば良いかをユーザが判断し難い場合がある。
【００１０】
このように、電子海図表示システムでは、収録範囲や詳細度などが異なるさまざまな種類の電子海図が個別に提供されているので、購入した電子海図のステータス（データを取得済みか、ライセンスは有るか、データは更新済みか、など）をユーザが的確に把握することは極めて困難である。この点、特許文献１に記載のナビゲーション装置は、もともとインストールしてある１種類の地図データを区分しておき、その中からユーザに使用エリアを選択させるという構成であるから、購入済みの地図データをユーザが把握することに格別の困難は無いと考えられる。そもそも、特許文献１には、購入した地図データをユーザが把握し易くするという観点での記載はない。
【００１１】
本発明は以上の事情に鑑みてされたものであり、その主要な目的は、電子海図のステータスを取得単位ごとに容易に把握できる電子海図表示装置を提供することにある。
【課題を解決するための手段及び効果】
【００１２】
本発明の解決しようとする課題は以上の如くであり、次にこの課題を解決するための手段とその効果を説明する。
【００１３】
本発明の第１の観点によれば、取得単位ごとに電子地図を取得して表示可能な電子地図表示装置の以下の構成が提供される。即ち、この電子地図表示装置は、地図情報表示部を備える。前記地図情報表示部は、前記電子地図が現在利用可能か否かを前記取得単位ごとに判断するとともに、前記電子地図が現在利用可能か否かに応じて、前記電子地図に関する情報を前記取得単位ごとに表示する。
【００１４】
これにより、電子地図が利用可能か否かを、取得単位ごとに容易に把握できる。
【００１５】
上記の電子地図表示装置において、前記地図情報表示部は、前記電子地図のデータを取得済みか否かに応じて、前記電子地図に関する情報の表示態様を異ならせることが好ましい。
【００１６】
これによれば、電子地図のインストールの有無を、取得単位ごとに容易に把握できる。
【００１７】
上記の電子地図表示装置において、前記地図情報表示部は、前記電子地図のライセンスの有無に応じて、前記電子地図に関する情報の表示態様を異ならせることが好ましい。
【００１８】
これによれば、電子地図のライセンスの有無を、取得単位ごとに容易に把握できる。
【００１９】
上記の電子地図表示装置において、前記地図情報表示部は、前記電子地図のデータが更新済か否かに応じて、前記電子地図に関する情報の表示態様を異ならせることが好ましい。
【００２０】
これによれば、電子地図データの更新の有無を、取得単位ごとに容易に把握できる。
【００２１】
上記の電子地図表示装置は、以下のように構成されることが好ましい。即ち、この電子地図表示装置は、少なくとも縮尺変更及びスクロール可能な態様で概略地図を表示させる概略地図表示部を備える。前記地図情報表示部は、前記電子地図に関する情報を、前記概略地図上に重畳させてグラフィカルに表示する。
【００２２】
これによれば、電子地図のステータスを、取得単位ごとに直感的に把握できる。
【００２３】
上記の電子地図表示装置は、以下のように構成されることが好ましい。即ち、前記地図情報表示部は、前記電子地図に関する情報として、当該電子地図に収録されている領域の範囲を示す範囲表示を、前記概略地図上に重畳させてグラフィカルに表示する。そして、前記地図情報表示部は、前記電子地図のステータスに応じて、前記範囲表示の表示態様を異ならせる。
【００２４】
このように、電子地図に収録されている領域の範囲を概略地図上に表示することで、電子地図の内容を取得単位ごとに直感的に把握できる。そして、当該範囲表示の表示態様を、電子地図のステータスに応じて異ならせることにより、電子地図のステータスを、取得単位ごとに直感的に把握できる。
【００２５】
上記の電子地図表示装置は、以下のように構成されることが好ましい。即ち、前記概略地図表示部は、前記概略地図の縮尺が所定よりも大きい場合はメルカトル図法で当該概略地図を表示し、当該縮尺が所定以下の場合は、地球が球状に見えるように前記概略地図を座標変換して表示する。そして、前記地図情報表示部は、前記概略地図の表示態様に応じて前記範囲表示を座標変換して表示する。
【００２６】
即ち、メルカトル図法で広い範囲を表示した場合は、緯度差によって面積比を正しく把握できなくなるので、縮尺が小さくなったときには地球を３次元的に表示すると良い。これに合わせて、各電子地図の収録範囲の表示を座標変換して表示することにより、前記収録範囲を概略地図上で正しく表示できる。
【００２７】
上記の電子地図表示装置において、前記地図情報表示部は、前記電子地図に関する情報として、各電子地図のステータスをリスト表示することが好ましい。
【００２８】
このように、電子地図のステータスをリスト表示することで、電子地図に関するより詳細な情報を、取得単位ごとにユーザに提示できる。
【００２９】
上記の電子地図表示装置は、以下のように構成されることが好ましい。即ち、この電子地図表示装置は、ルート設定部と、通過予定地図情報表示部と、を備える。前記ルート設定部は、予定ルートを設定するとともに、前記予定ルートを電子地図上に重畳させて表示する。前記通過予定地図情報表示部は、前記予定ルートが通る領域の少なくとも一部を収録した電子地図に収録されている領域の範囲を示す範囲表示を、画面に表示されている前記電子地図上に重畳させてグラフィカルに表示する。また、通過予定地図情報表示部は、前記範囲表示に係る電子地図が現在利用可能か否かに応じて、前記範囲表示の表示態様を異ならせる。
【００３０】
これによれば、設定したルートを航行するために必要な電子地図が利用可能か否かを、電子地図上で視覚的に把握できる。
【００３１】
上記の電子地図表示装置は、以下のように構成することもできる。即ち、この電子地図表示装置は、ルート設定部と、通過予定地図情報表示部と、を備える。前記ルート設定部は、予定ルートを設定する。前記通過予定地図情報表示部は、前記予定ルートが通る領域の少なくとも一部を収録した電子地図のステータスをリスト表示する。
【００３２】
これによれば、設定したルートを航行するために必要な電子地図のステータスを容易に把握できる。
【００３３】
本発明の第２の観点によれば、取得単位ごとに電子地図を取得して表示可能な電子地図表示装置において、電子地図に関する情報の表示方法が以下のとおり提供される。即ち、この表示方法は、判断工程と、地図情報表示工程を含む。前記判断工程では、前記電子地図が現在利用可能か否かを前記取得単位ごとに判断する。前記地図情報表示工程では、前記電子地図が現在利用可能か否かに応じて、前記電子地図に関する情報を前記取得単位ごとに表示する。
【図面の簡単な説明】
【００３４】
【図１】本発明の一実施形態に係る電子海図表示装置の構成を示すブロック図。
【図２】海図表示画面の例を示す図。
【図３】海図情報画面の例を示す図。
【図４】地球を三次元的に表示した海図情報画面の例を示す図。
【図５】収録範囲表示枠の表示態様と電子海図のステータスとの対応関係を例示する図。
【図６】海図情報リストを表示した状態を示す図。
【図７】ルートプランニング画面の例を示す図。
【発明を実施するための形態】
【００３５】
次に、図面を参照して本発明の実施の形態を説明する。図１に示すのは、本発明の実施形態に係る電子海図表示装置６を備えた電子海図表示情報システム（ＥＣＤＩＳ）１のブロック図である。
【００３６】
電子海図表示情報システム１は、船舶に搭載されて航行に必要な各種の情報を表示するためのものである。電子海図表示情報システム１は、レーダ装置２、ＧＰＳ（全地球測位システム）受信機３、ジャイロコンパス４、電子海図表示装置（電子地図表示装置）６などから構成されている。
【００３７】
レーダ装置２は、アンテナによる電波の送受信により、自船周囲の物標の様子を取得するとともに、当該周囲の物標の様子を示す二次元画像（レーダ映像）を生成する周知の構成である。レーダ装置２が生成したレーダ映像は、電子海図表示装置６に表示することができる。ＧＰＳ受信機３は、ＧＰＳ衛星からの信号に基づいて、地球上における自船の絶対座標を取得する公知の構成である。ＧＰＳ受信機３が取得した自船の絶対座標は、電子海図表示装置６に出力される。ジャイロコンパス４は、自船の船首方位を取得するためのものである。ジャイロコンパス４が取得した船首方位は、電子海図表示装置６に出力される。
【００３８】
電子海図表示装置６は、電子海図（電子地図）を表示するための装置である。電子海図表示装置６は、表示部１０、操作部１１、演算部１２、記憶部１３、海図データ取得部１５、ライセンスキー取得部１６、更新情報取得部１７、電子海図カタログ取得部１８などを備えている。
【００３９】
操作部１１は、マウスやキーボードなど、ユーザが操作できる入力装置から構成されている。表示部１０は例えばカラーの液晶ディスプレイであり、電子海図を適切に表示できるように構成されている。
【００４０】
記憶部１３は例えばハードディスクであり、取得した電子海図のデータが記憶されている。電子海図のデータは、当該電子海図データの提供者（以下、単に「提供者」とする）から、例えばＣＤ−ＲＯＭなどの記憶媒体によって提供される。海図データ取得部１５は、このＣＤ−ＲＯＭを読み込むことにより電子海図のデータを取得し、記憶部１３にインストールする。なお、近年は衛星通信による電子海図データの提供も一般的になりつつある。そこで、海図データ取得部１５は、衛星通信によって電子海図のデータを取得するように構成されていても良い。その他にも、電子海図のデータは適宜の手段によって取得できる。
【００４１】
なお、本実施形態の電子海図表示装置６が扱う電子海図は、航海用電子海図（ＥＮＣ）と呼ばれるベクター形式の海図であっても良いし、航海用ラスター海図（ＲＮＣ）と呼ばれるラスター形式の海図であっても良い。また、ＥＮＣやＲＮＣというのは公的機関によって刊行されたものを指すが、これに限らず、非公式（私的）海図であっても本実施形態の電子海図表示装置６で扱うことができる。
【００４２】
電子海図のデータは暗号化されて提供されている場合が多く、このような場合はライセンスキーを取得しなければ当該電子海図を利用できない。ライセンスキー取得部１６は、提供者から通知されるライセンスキーを適宜の方法で取得する。ライセンスキーを取得することで、記憶部１３にインストールされている電子海図のデータを利用可能になる。なお、ライセンスキーは、電子海図の取得単位ごとに付与される。従って、取得単位ごとにライセンスキーを取得しなければならない。また、ライセンスには有効期限があり、有効期限が切れた場合には改めてライセンスキーを取得する必要がある。
【００４３】
電子海図は定期的に更新されており、提供者から更新情報データが提供される。更新情報取得部１７は、上記更新情報データを取得して、記憶部１３にインストールされている電子海図のデータを最新状態にアップデートするように構成されている。提供者からの更新情報データは、ＣＤ−ＲＯＭなどの記憶媒体、ｅ−ｍａｉｌの添付ファイル、又は衛星通信など、適宜の手段によって取得できる。なお、電子海図の更新は、通常、該当する海域の水路当局が海図更新情報を発行する周期で行われる。このため、電子海図の更新周期は取得単位ごとに異なっており、更新作業は電子海図の取得単位ごとに別々に行う必要がある。
【００４４】
また、電子海図の提供者は、自身が提供している電子海図に関する情報を含むカタログデータを配布している。電子海図カタログ取得部１８は、このカタログデータを取得するように構成されている。提供者からのカタログデータは、ＣＤ−ＲＯＭなどの記憶媒体、ｅ−ｍａｉｌの添付ファイル、又は衛星通信など、適宜の手段によって取得できる。
【００４５】
演算部１２は、ＣＰＵ、ＲＡＭ、ＲＯＭなどのハードウェアからなるコンピュータとして構成されている。また、前記記憶部１３には、演算部１２で実行させる電子海図表示プログラム（電子地図表示プログラム）などのソフトウェアが記憶されている。そして、電子海図表示装置６は、記憶部１３に記憶されている電子海図表示プログラムを演算部１２に実行させることにより、当該演算部１２を、概略地図表示部２２、海図情報表示部（地図情報表示部）２３、ルート設定部２４、通過予定海図情報表示部（通過予定地図情報表示部）２５等として機能させるように構成されている。
【００４６】
演算部１２は、記憶部１３に記憶されている電子海図のデータに基づいて、当該電子海図を表示部１０に表示させるように構成されている。表示部１０に電子海図が表示された様子（海図表示画面３０）の例を、図２に示す。演算部１２は、ＧＰＳ受信機３やジャイロコンパス４等から得た情報に基づいて、自船の位置や進行方向に応じて海図を表示することができる。なお、電子海図のデータに基づいて海図を表示する構成は公知であるから、詳細な説明は省略する。
【００４７】
続いて、本実施形態の特徴的な構成について説明する。
【００４８】
本実施形態の電子海図表示装置６は、図３に示すような海図情報画面３１を、表示部１０に表示させることができるように構成されている。なお、海図表示画面３０から海図情報画面３１への切り換えは、ユーザが適宜の操作を行うことにより行うことができる。
【００４９】
概略地図表示部２２は、図３に示すように、海岸線の形状を概略的に示す概略地図３３を、海図情報画面３１に表示するように構成されている。この概略地図３３は、電子海図のデータから生成されたものではなく、電子海図とは別に記憶部１３に予め記憶されている地球全体の海岸線データに基づいて生成される。従って、概略地図３３は、電子海図データを利用できない海域についても表示できる。
【００５０】
概略地図表示部２２は、ユーザの適宜の操作に応じて、概略地図３３の縮尺及び表示中心座標を変更するように構成されている。これにより、ユーザは、概略地図３３を任意に縮尺変更、及びスクロールできるので、所望の海域についての概略地図３３を海図情報画面３１に表示させることができる。
【００５１】
概略地図表示部２２は、概略地図３３の縮尺が所定よりも大きい場合は、当該概略地図３３をメルカトル図法によって平面的に表示するように構成されている（図３）。しかし、メルカトル図法では、広い範囲を表示した場合に、緯度差によって面積比が正しく表示されなくなってしまう。そこで、概略地図表示部２２は、概略地図３３の縮尺が所定以下に設定された場合は、地球が３次元の球状に見えるように、概略地図３３を座標変換して表示するように構成されている（図４）。なお、地球を３次元的に表示した状態であっても、ユーザは、概略地図３３の拡大縮小、およびスクロール（地球の回転）を任意に行うことができる。
【００５２】
海図情報表示部２３は、海図情報画面３１において、電子海図に関する情報を取得単位ごとに表示するように構成されている。本実施形態において、海図情報表示部２３は、電子海図に関する情報として、図３及び図４に示すように、収録範囲表示枠（範囲表示）３４を概略地図３３に重畳させて表示するように構成されている。
【００５３】
それぞれの収録範囲表示枠３４は、電子海図に収録されている海域（領域）の範囲（収録範囲）の外縁を、概略地図３３上でグラフィカルに表示すものである。また、各収録範囲表示枠３４の近傍には、対応する電子海図の取得単位の名称（ＧＢ１０１、ＧＢ１０２、…など）が表示されている。従って、ユーザは、概略地図３３上の収録範囲表示枠３４の表示を見ることにより、取得単位ごとに、電子海図に収録されている海域の範囲を容易に把握できる。
【００５４】
電子海図の取得単位ごとの情報（具体的には、取得単位の名称と、その収録範囲）は、電子海図カタログ取得部１８が取得したカタログデータに基づいて取得できる。なお、提供者が配布しているカタログデータには、ユーザが未購入の電子海図に関する情報も収録されている。従って、本実施形態の海図情報表示部２３は、購入済の電子海図の収録範囲に加えて、未購入の電子海図の収録範囲も表示できる。
【００５５】
海図情報表示部２３は、まず、各電子海図（現在利用できる電子海図に加えて、未購入の電子海図や、ライセンスが切れた電子海図など、現在は利用できない電子海図も含む）の収録範囲を示す情報を、カタログデータから取得する。続いて海図情報表示部２３は、海図情報画面３１に表示されている概略地図３３の、画面上での座標系を取得する。海図情報表示部２３は、各電子海図の収録範囲を、概略地図３３の画面上での座標系に座標変換する。なお、この座標変換は、概略地図３３がメルカトル図法で表示されている場合（図３）であっても、地球が球状に見えるように表示されている場合（図４）であっても、適切に行うことができるようになっている。
【００５６】
そして海図情報表示部２３は、電子海図の収録範囲の外縁を示す収録範囲表示枠３４を、概略地図３３に重畳させて表示する。これにより、概略地図３３がメルカトル図法で表示されている場合（図３）であっても、地球が球状に見えるように立体的に表示されている場合（図４）であっても、電子海図の収録範囲を概略地図３３上で正しく表示できる。
【００５７】
また、ユーザが適宜の操作を行って概略地図３３を拡大縮小したりスクロールしたりした場合、海図情報表示部２３は、収録範囲表示枠３４の表示を更新するように構成されている。つまり、ユーザによる拡大縮小やスクロールの操作に追従して、収録範囲表示枠３４も拡大縮小ないしスクロールするようになっている。従って、ユーザは、概略地図３３を拡大縮小、又はスクロールさせて表示範囲を適宜設定することにより、所望の海域についての電子海図に関する情報のみを、海図情報画面３１に表示させることができる。
【００５８】
そして本実施形態の海図情報表示部２３は、電子海図に関する情報の表示態様を、当該電子海図のステータスに応じて異ならせるように構成されている。
【００５９】
より具体的には、本実施形態の海図情報表示部２３は、電子海図のステータスに応じて、収録範囲表示枠３４の表示態様を異ならせている。例えば図３及び図４では、電子海図のステータスに応じて、収録範囲表示枠３４の線種を、実線、鎖線、一点鎖線、二点鎖線、というように異ならせている。収録範囲表示枠３４の線種と、電子海図のステータスとの対応関係の例を図５に示す。ただし図５の対応関係はあくまで例示であって、これに限定されるわけではない。
【００６０】
このように、電子海図のステータスに応じて収録範囲表示枠３４の表示態様を異ならせることにより、電子海図のステータスを取得単位ごとに容易に把握できる。電子海図のステータスとしては様々なものが考えられるが、図３又は図４の海図情報画面３１を見たときに、現在利用可能な電子海図と、利用不可能な電子海図とを一目で判別できれば、ユーザにとって便利である。そこで、少なくとも、電子海図が現在利用可能か否かに応じて、収録範囲表示枠３４の表示態様を異ならせれば好適である。
【００６１】
そこで、本実施形態の海図情報表示部２３は、電子海図が現在利用可能か否かを取得単位ごとに判断するように構成されている。ところで前述のように、本実施形態の電子海図表示装置６では、電子海図のデータを取得したうえで、当該電子海図のライセンスを有効に取得することにより、はじめて当該電子海図を利用可能になる。そこで本実施形態の海図情報表示部２３は、電子海図のデータが取得済みか否か、及び、電子海図のライセンスの有無を、カタログデータに収録されている各電子海図について取得単位ごとに判断する。そして海図情報表示部２３は、電子海図のデータが取得済みか否かの判断結果、及び、電子海図のライセンスの有無の判断結果に応じて、収録範囲表示枠３４の表示態様を異ならせるように構成されている。
【００６２】
これによれば、ユーザは、海図情報画面３１を一目見るだけで、どの電子海図が現在利用可能で、どの電子海図が利用不可能かを判断できる。例えばユーザは、航行予定の海域の電子海図のデータが取得済か否かを海図情報画面３１を一目見るだけで判断できるので、当該データを取得していない場合は、当該データを提供者から取得しなければならないと判断できる。また例えば、ユーザは、航行予定の海域の電子海図のライセンスの有無を海図情報画面３１を一目見るだけで判断できるので、当該ライセンスが無い場合（もともとライセンスを取得していない場合と、取得したライセンスの有効期限が切れた場合の両方を含む）は、当該ライセンスを提供者から取得しなければならないと判断できる。
【００６３】
また本実施形態の海図情報表示部２３は、電子海図のデータが更新済みか否かに応じても、収録範囲表示枠３４の表示態様を異ならせるように構成されている。なお、電子海図のデータが更新済みか否かは、当該電子海図のデータが所定の更新周期の間に更新されたか否かに基づいて判断できる。
【００６４】
これによれば、ユーザは、海図情報画面３１を一目見るだけで、どの電子海図が最新版かを判断できる。例えばユーザは、航行予定の海域の電子海図のデータが最新版か否かを海図情報画面３１を一目見るだけで判断できるので、当該データが最新版でない場合は、当該データを更新しなければならないと判断できる。
【００６５】
一方、航行予定が無い海域に関する電子海図であれば、データを取得していなかったり、ライセンスが無かったり、更新していなかったりしても当面の問題は無い。つまり、航行予定に関係無い電子海図については、利用不可能な状態であっても無視してかまわないのである。この点、上記の構成によれば、概略地図上において電子海図の情報（具体的には収録範囲）をグラフィカルに表示しているので、航行予定に関係がある電子海図か否かを、収録範囲ごとに直感的に把握できる。
【００６６】
以上のように本実施形態の構成によれば、ユーザは、海図情報画面３１において収録範囲表示枠３４の表示態様を見るだけで、電子海図のステータス（利用可能か否か、更新済みか否かなど）を、取得単位ごとに容易に把握できる。そして、本実施形態では、収録範囲表示枠３４によって電子海図の収録範囲を概略地図３３上にグラフィカルに示しているので、ユーザは、電子海図がどの海域に関するものであるかを取得単位ごとに容易に把握できる。これにより、ユーザは、データを取得しなければならないか否か、ライセンスを取得しなければならないか否か、データを更新しなければならないか否か、などを電子海図の取得単位ごとに容易に判断できる。
【００６７】
ただし、上記の収録範囲表示枠３４は、電子海図に関する情報を概略地図３３上でグラフィカルに表示するものであるから、直感的ではあるものの、例えば、ライセンスが無い電子海図はいくつあるのか、といった詳細な情報を読み取るには不向きである。
【００６８】
そこで、本実施形態の海図情報表示部２３は、電子海図に関する情報を取得単位ごとに表示するための別の態様として、図６に示すように、各電子海図の情報をリスト表示した海図情報リスト３５を、海図情報画面３１に表示できるように構成されている。この海図情報リスト３５は、海図情報画面３１に常時表示されていても良いし、ユーザが所定の操作を行ったときのみ海図情報画面３１に表示される構成であっても良い。
【００６９】
海図情報表示部２３が表示する海図情報リスト３５は、取得単位ごとに、電子海図に関する情報をリスト表示するものである。リスト表示する情報としては、例えば、電子海図の取得単位の名称、電子海図のデータのタイプなどである。電子海図の取得単位ごとの情報（名称、タイプなど）は、電子海図カタログ取得部１８が取得したカタログデータに基づいて、取得できる。前述のように、カタログデータにはユーザが未購入の電子海図に関する情報も収録されているので、未購入の電子海図の情報もリスト表示できる。
【００７０】
そして本実施形態の海図情報表示部２３は、電子海図のステータスに応じて、海図情報リスト３５の表示態様を異ならせるように構成されている。具体的には、海図情報リスト３５において、各電子海図についての情報の行に、当該電子海図のステータスを示す文字列が表示されるように構成されている（図６の「ステータス」のカラム）。ユーザは、この文字列を確認することにより、各電子海図のステータスを明確に把握できる。
【００７１】
ところで、電子海図は世界中のものが提供されているので、仮にカタログデータに収録されている情報を全てリストアップした場合は、海図情報リスト３５の閲覧性が悪くなる場合がある。そこで海図情報表示部２３は、概略地図３３上に収録範囲表示枠３４が表示されている電子海図に関する情報のみ、海図情報リスト３５に表示するように構成しても良い（つまり、概略地図３３から完全にはみ出している電子海図に関する情報は、海図情報リスト３５に表示しないようにしてもよい）。これによれば、ユーザは、概略地図３３を拡大縮小、又はスクロールさせて表示範囲を適宜設定することにより、所望の海域についての電子海図に関する情報のみを、海図情報リスト３５にリスト表示させることができる。
【００７２】
また、海図情報リスト３５の表示内容は、各カラムの内容に応じてソートできても良い。例えば、ユーザが適宜の操作を行うことにより、ライセンスが無い電子海図に関する情報を優先的に表示する、というようにソートして表示できれば好適である。これによれば、どの電子海図のライセンスを取得しなければならないかを容易に把握できる。
【００７３】
続いて、本実施形態の電子海図表示装置６におけるルート設定について説明する。
【００７４】
電子海図表示装置６は、航行予定のルート（予定ルート）を設定することができるように構成されている。予定ルートは、ユーザがルートプランニング画面で適宜の操作を行うことにより、設定できる。ルートプランニング画面３７の例を図７に示す。
【００７５】
まず、ユーザは、予定ルートを全体的に表示できる電子海図をルートプランニング画面３７に表示させる。続いてユーザは、ルートプランニング画面３７に表示された電子海図上で、複数のポイント３８を設定していく。ルート設定部２４は、ユーザが設定したポイント３８を順に直線で結ぶことにより、予定ルート３９を設定する。そして、ルート設定部２４は、設定した予定ルート３９を、ルートプランニング画面３７において、電子海図上に重畳させて表示させる（図７）。
【００７６】
通過予定海図情報表示部２５は、予定ルート３９が通る海域の少なくとも一部を収録した電子海図に関する情報を表示するように構成されている。通過予定海図情報表示部２５は、まず、各電子海図（現在利用できる電子海図に加えて、未購入の電子海図や、ライセンスが切れた電子海図など、現在は利用できない電子海図も含む）の収録範囲を示す情報を、カタログデータから取得する。続いて通過予定海図情報表示部２５は、カタログデータから取得した情報の中から、ルート設定部２４が設定した予定ルート３９が通る海域の少なくとも一部を収録している電子海図の情報を抽出する。そして通過予定海図情報表示部２５は、抽出した電子海図の収録範囲を示す収録範囲表示枠３４を、ルートプランニング画面３７の電子海図上に重畳させて表示させるように構成されている（図７）。
【００７７】
これによれば、予定ルートに関連した電子海図についての情報のみを、ルートプランニング画面３７に表示できる。ユーザは、ルートプランニング画面３７に表示された収録範囲表示枠３４と、予定ルート３９と、を確認することにより、設定したルートを航行するために必要な電子海図を、取得単位ごとに容易に把握できる。そして通過予定海図情報表示部２５は、電子海図のステータスに応じて、収録範囲表示枠３４の表示態様を異ならせている。なお、収録範囲表示枠３４の表示態様に関しては前述したので、説明を省略する。
【００７８】
上記の構成によれば、ユーザは、設定した予定ルート３９を航行するために必要な電子海図のステータスを、一目で判断できる。従って、例えば予定ルート３９が通る海域の電子海図のライセンスが無い場合は、当該ライセンスを提供者から取得しなければならないと判断できる。
【００７９】
また、通過予定海図情報表示部２５は、予定ルート３９が通る海域の少なくとも一部を収録した電子海図のステータスをリスト表示できるように構成されていても良い。これによれば、ユーザは、設定した予定ルート３９を航行するために必要な電子海図のステータスを、より明確に把握できる。
【００８０】
以上で説明したように、本実施形態の電子海図表示装置６は、取得単位ごとに電子海図を取得して表示可能であって、以下のように構成されている。即ち、この電子海図表示装置６は、海図情報表示部２３を備える。海図情報表示部２３は、電子海図が現在利用可能か否かを取得単位ごとに判断するとともに、前記電子海図が現在利用可能か否かに応じて、電子海図に関する情報を取得単位ごとに表示する。
【００８１】
従って、この電子海図表示装置６を利用して行う電子海図に関する情報の表示方法は、以下のようなものである。即ち、この表示方法は、判断工程と、海図情報表示工程を含む。判断工程では、電子地図が現在利用可能か否かを取得単位ごとに判断する。海図情報表示工程では、電子海図が現在利用可能か否かに応じて、電子海図に関する情報を取得単位ごとに表示する。
【００８２】
このように、電子海図のステータスに応じて情報の表示態様を異ならせることで、当該電子海図のステータスを取得単位ごとに容易に把握できる。
【００８３】
以上に本発明の好適な実施の形態を説明したが、上記の構成は例えば以下のように変更することができる。
【００８４】
本発明の電子地図表示装置は、船舶用の電子海図を表示する装置に限らず、例えば自動車用のナビゲーション装置など、電子データ形式で提供される地図を表示する装置に広く適用できる。
【００８５】
上記実施形態では、電子海図のステータスに応じて収録範囲表示枠３４の線種を異ならせる構成としているが、これに限らない。例えば、電子海図のステータスに応じて収録範囲表示枠３４の線の色を変更するなど、表示態様の変更方向としてはさまざまなものが考えられる。
【００８６】
また、上記実施形態では、電子海図の収録範囲を表示するために、当該収録範囲の外縁を表示する構成としている。しかし、電子海図の収録範囲の表示方法としては、当該収録範囲を枠で囲って表示するものに限らず、例えば収録範囲をハッチングで示すようにしても良い。
【００８７】
電子海図のステータスとしては、上記のものに限らない。例えば、図５に示すように、電子海図のデータをインストールする際にエラーが発生したか否かに基づいて、当該電子海図に関する情報の表示態様を異ならせても良い。
【００８８】
また、電子地図の情報を概略地図上にグラフィカルに表示する態様としては、上記の範囲表示に限定されるわけではない。例えば、各電子地図のステータスに応じたアイコンを、概略地図に重畳表示するように構成しても良い。このとき概略地図上にアイコンを表示する位置は、例えば、各電子地図の収録範囲の中心座標に対応した位置とすれば良い。
【００８９】
地球が球状に見えるように表示するための具体的な実現方法は特に限定されない。例えば公知の３Ｄグラフィック演算によって３次元の地球を描画しても良いし、正射図法などの地図投影法によって地球が擬似的に球形に見えるようにしても良い。
【符号の説明】
【００９０】
６  電子海図表示装置（電子地図表示装置）
２２  概略地図表示部
２３  海図情報表示部（地図情報表示部）
【図１】
2013218210.tif 000003
【図２】
2013218210.tif 000004
【図３】
2013218210.tif 000005
【図４】
2013218210.tif 000006
【図５】
2013218210.tif 000007
【図６】
2013218210.tif 000008
【図７】
2013218210.tif 000009